(57)【要約】【課題】道路交通情報などにより提供される時間間隔ごとの渋滞情報を画面表示することによって行う渋滞状況の経時的変化の表示において、画面表示する渋滞情報の時間間隔を可変とする渋滞状況の表示方法を提供する。【解決手段】経路上の各渋滞区間における渋滞距離の変化量を計算し（ステップＳ２）、いちばん大きい渋滞距離の変化量が所定値以上であるか否かを判定して（ステップＳ４、Ｓ５）、画面表示する渋滞情報の時間間隔の設定値を変える（ステップＳ６、Ｓ７）。こうして設定された時間間隔ごとの渋滞情報を読み出して（ステップＳ９）、その渋滞状況を切り換えて表示する（ステップＳ１０）。このようにして、渋滞状況の経時的変化を示す画像を画面表示する。【選択図】図３
2004361211.tif 000002
【特許請求の範囲】
【請求項１】
可変の時間間隔を設定し、
設定された時間間隔ごとの渋滞状況を取得し、
前記時間間隔で取得した複数個の渋滞状況に基づいて道路の渋滞状況の経時的変化を示す画像を作成して画面表示することを特徴とする渋滞状況の表示方法。
【請求項２】
請求項１に記載の渋滞状況の表示方法において、
前記時間間隔を所定時間における渋滞状況の変化の度合いに応じて変化させることを特徴とする渋滞状況の表示方法。
【請求項３】
請求項２に記載の渋滞状況の表示方法において、
前記渋滞状況の変化の度合いが大きいほど、前記時間間隔を短くすることを特徴とする渋滞状況の表示方法。
【請求項４】
請求項１に記載の渋滞状況の表示方法において、
前記時間間隔を道路種別の割合に応じて変化させることを特徴とする渋滞状況の表示方法。
【請求項５】
請求項４に記載の渋滞状況の表示方法において、
前記道路に含まれる高速道路の割合が大きいほど、前記時間間隔を長くすることを特徴とする渋滞状況の表示方法。
【請求項６】
請求項１に記載の渋滞状況の表示方法において、
前記時間間隔を目的地の種類に応じて変化させることを特徴とする渋滞状況の表示方法。
【請求項７】
請求項６に記載の渋滞状況の表示方法において、
前記目的地が観光地に該当する場合、そうでない場合に比べて前記時間間隔を長くすることを特徴とする渋滞状況の表示方法。
【請求項８】
車両に搭載され、請求項１〜７のいずれかに記載の渋滞状況の表示方法を実行する車載情報端末。
【発明の詳細な説明】
【０００１】
【発明の属する技術分野】
本発明は、渋滞状況をナビゲーション装置などの車載情報端末において画面表示する方法に関する。
【０００２】
【従来の技術】
道路の渋滞状況を表す渋滞情報などの道路交通情報を提供する道路交通情報通信システム（ＶＩＣＳ）が実用化されている。このシステムでは、ＶＩＣＳセンターにおいて収集した各種道路交通情報（ＶＩＣＳ情報）を、電波ビーコン、光ビーコン、ＦＭ多重放送などにより車両へ送信する。車両では、受信したＶＩＣＳ情報を画面表示などによって運転者等のユーザへ提供する。このＶＩＣＳ情報などによって一定時間ごとに提供される渋滞情報を受信して蓄積し、蓄積された一定時間ごとの渋滞情報を切り換えて画面表示することにより、渋滞状況の経時的変化を表示するナビゲーション装置が知られている。（特許文献１）。
【０００３】
【特許文献１】
特開平８−２８７３９２号公報
【０００４】
特許文献１のナビゲーション装置は、一定の時間間隔ごとの渋滞情報しか画面表示することができず、渋滞状況の経時的変化を適切に表示することができない場合がある。
【０００５】
本発明は、道路交通情報などにより提供される時間間隔ごとの渋滞情報を画面表示することによって行う渋滞状況の経時的変化の表示において、画面表示する渋滞情報の時間間隔を可変とする渋滞状況の表示方法および車載情報端末を提供するものである。
【０００６】
【課題を解決するための手段】
請求項１の発明による渋滞状況の表示方法は、可変の時間間隔を設定し、設定された時間間隔ごとの渋滞状況を取得し、時間間隔で取得した複数個の渋滞状況に基づいて道路の渋滞状況の経時的変化を示す画像を作成して画面表示するものである。
請求項２の発明は、請求項１に記載の渋滞状況の表示方法において、時間間隔を所定時間における渋滞状況の変化の度合いに応じて変化させるものである。
請求項３の発明は、請求項２に記載の渋滞状況の表示方法において、渋滞状況の変化の度合いが大きいほど、時間間隔を短くするものである。
請求項４の発明は、請求項１に記載の渋滞状況の表示方法において、時間間隔を道路種別の割合に応じて変化させるものである。
請求項５の発明は、請求項４に記載の渋滞状況の表示方法において、道路に含まれる高速道路の割合が大きいほど、時間間隔を長くするものである。
請求項６の発明は、請求項１に記載の渋滞状況の表示方法において、時間間隔を目的地の種類に応じて変化させるものである。
請求項７の発明は、請求項６に記載の渋滞状況の表示方法において、目的地が観光地に該当する場合、そうでない場合に比べて時間間隔を長くするものである。
請求項８の発明による車載情報端末は、車両に搭載され、請求項１〜７のいずれかに記載の渋滞状況の表示方法を実行するものである。
【０００７】
【発明の実施の形態】
−第１の実施の形態−
本発明の一実施形態を図１に示す。図１のナビゲーション装置１は、地図表示などの通常のナビゲーション機能に加えて、電波ビーコン、光ビーコン、ＦＭ多重放送などによって送信されるＶＩＣＳ情報を受信し、それを画面表示などによってユーザに提供する。さらに、このＶＩＣＳ情報を蓄積して可変の時間間隔ごとの渋滞状況を画面表示することにより、渋滞状況の経時的変化を表示するものである。ナビゲーション装置１は、制御回路１１、ＲＯＭ１２、ＲＡＭ１３、現在地検出装置１４、画像メモリ１５、表示モニタ１６、入力装置１７、ＶＩＣＳ情報受信部１８、ＶＩＣＳ情報蓄積部１９、およびディスクドライブ２０を有している。ディスクドライブ２０には、地図データが記録されたＤＶＤ−ＲＯＭ２１が装填される。
【０００８】
制御回路１１は、マイクロプロセッサおよびその周辺回路からなり、ＲＡＭ１３を作業エリアとしてＲＯＭ１２に格納された制御プログラムを実行して各種の制御を行う。現在地検出装置１４は車両の現在地を検出する装置であり、たとえば、車両の進行方位を検出する方位センサ１４ａ、車速を検出する車速センサ１４ｂ、ＧＰＳ衛星からのＧＰＳ信号を検出するＧＰＳセンサ１４ｃ等からなる。ナビゲーション装置１は、この現在地検出装置１４により検出された車両の現在地に基づいて、地図の表示範囲や経路探索開始点などを決定するとともに、地図上にその現在地を表示する。
【０００９】
画像メモリ１５は、表示モニタ１６に表示するための画像データを格納する。この画像データは道路地図描画用データや各種の図形データ等からなり、それらはディスクドライブ２０によって読み込まれるＤＶＤ−ＲＯＭ２１に記録された地図データに基づいて、適宜選択される。ナビゲーション装置１は、このようにして選択された画像データを用いることによって、地図の表示などを行うことができる。
【００１０】
表示モニタ１６は、地図データなどの各種情報に基づいて、自車位置付近の地図などの各種情報を画面表示してユーザに提供する。入力装置１７は、車両の目的地や経由地（以下、これらを合わせて単に目的地という）をユーザが設定するための各種入力スイッチを有し、これは操作パネルやリモコンなどによって実現される。ユーザは、表示モニタ１６に表示される画面指示に従って入力装置１７を操作することにより、地名や地図上の位置を指定して目的地を設定する。また、入力装置１７を操作して異なる時間における渋滞状況を表示モニタ１６に切り替え表示することにより、渋滞状況の経時的変化を表示することができる。
【００１１】
目的地がユーザにより設定されると、ナビゲーション装置１は、現在地検出装置１４により検出された現在地を経路探索開始点として、目的地までの経路演算を所定のアルゴリズムに基づいて行う。このようにして求められた経路（以下、誘導経路という）は、表示形態、たとえば表示色などを変えることによって、他の道路とは区別して画面表示される。これにより、ユーザは地図上の誘導経路を画面上で認識することができる。また、ナビゲーション装置１は、誘導経路に従って車両が走行できるよう、ユーザに対して画像や音声などによる進行方向指示を行い、車両を誘導する。
【００１２】
ディスクドライブ２０は、装填されたＤＶＤ−ＲＯＭ２１より、表示モニタ１６へ地図を表示するための地図データを読み出す。なお、ＤＶＤ−ＲＯＭ以外の他の記録メディア、たとえばＣＤ−ＲＯＭやハードディスクなどより地図データを読み出すこととしてもよい。
【００１３】
ＶＩＣＳ情報受信部１８は、図示しないＶＩＣＳ情報センターから一定時間ごと、たとえば５分おきに供給されるＶＩＣＳ情報を受信して、ＶＩＣＳ情報蓄積部１９に出力する。このＶＩＣＳ情報は、主に高速道路上に設置されている電波ビーコンや、主に一般道路上に設置されている光ビーコン、またはそれらよりも広域エリアをカバーするＦＭ多重放送によって、ナビゲーション装置１へ送信される。ＶＩＣＳ情報蓄積部１９は、ＶＩＣＳ情報受信部１８により受信された一定時間ごとのＶＩＣＳ情報を順次蓄積する。なお、蓄積したＶＩＣＳ情報が許容量に達した場合は、過去に蓄積されたものから順に最新のものへと置き換えるようにする。すなわち、ＶＩＣＳ情報蓄積部１９には許容量分に相当する過去の一定期間におけるＶＩＣＳ情報が蓄積されている。このときの許容量には、後述する経時変化表示処理において読み出される分以上が設定される。
【００１４】
制御回路１１は、ＶＩＣＳ情報受信部１８により受信されてＶＩＣＳ情報蓄積部１９に蓄積されたＶＩＣＳ情報に含まれる渋滞情報を画像化して、渋滞状況を表示モニタ１６に画面表示する。このとき、渋滞度に応じて異なる表示色を地図上に重ね合わせて表示する。たとえば、渋滞度が高い部分を赤、渋滞度が中程度の部分をオレンジ、渋滞度が低い部分を緑色によって表示する。
【００１５】
さらに、設定した時間間隔ごとの複数の渋滞情報を画面表示することにより、制御回路１１は渋滞状況の経時的変化を示す画像を表示モニタ１６に表示することができる。以降の説明では、この渋滞状況の経時的変化の表示を経時変化表示といい、この経時変化表示において制御回路１１が実行する処理を経時変化表示処理という。なお、この経時変化表示処理において画面表示する渋滞情報の時間間隔は可変であり、設定された推奨経路における渋滞状況の変化する様子によって、その設定値を変えることができる。
【００１６】
前述の経時変化表示において、渋滞状況の変化の様子によって渋滞情報を画面表示するときの時間間隔を変えた場合の画面表示例を図２に示す。図２（ａ）は渋滞状況の変化が大きい（変化の周期が短い）ときの例であり、１０分間隔の渋滞状況を表示モニタ１６に３秒おきに順次切り換え表示している。この画面表示例では、現在地３１より目的地３２へ向かう２つの誘導経路Ａ（符号３３）およびＢ（符号３４）が設定されており、その間の渋滞状況を符号３５および３６に示すように表示している。誘導経路Ａ３３では時間の経過とともに渋滞表示３５の範囲が拡大しており、逆に誘導経路Ｂ３４では時間の経過とともに渋滞表示３６の範囲が縮小している。このように表示される渋滞状況の経時的変化に基づいて、ユーザは誘導経路ＡとＢのいずれかを選択して車両を走行させることができる。このとき、ナビゲーション装置１においてどちらを選択するか判断し、選択した誘導経路を画面表示等によってユーザに提示するようにしてもよい。なお、誘導経路は必ずしも２つ設定されている必要はなく、設定された１つ以上の誘導経路について、このように渋滞状況の経時的変化を表示することができる。
【００１７】
図２（ｂ）は渋滞状況の変化が小さい（変化の周期が短い）ときの画面表示例である。このときには、変化の様子が分かるように、図２（ａ）の場合よりも長い３０分間隔の渋滞状況を３秒おきに切り換え表示している。この画面表示例においても、図２（ａ）の場合と同様に、現在地３１より目的地３２へ向かう誘導経路Ａ３３および誘導経路Ｂ３４について、その間の渋滞状況を表示３５および３６によって表している。このように、渋滞状況の変化の大小に従って表示する渋滞情報の時間間隔を変えることにより、渋滞状況の経時的変化の様子を的確に表示することができる。
【００１８】
なお、図２（ａ）と（ｂ）に示す画面表示はいずれも、誘導経路全体の渋滞状況の経時的変化を判別しやすくするために、誘導経路の地図を簡易的な図形によって表したものである。通常の地図によって誘導経路全体の渋滞状況の経時的変化を表すことができる場合には、通常の地図を用いてもよい。また、図２（ａ）と（ｂ）の場合のいずれにおいても、表示の切り換え周期は３秒とは限らず、任意の時間を設定することができる。たとえば、渋滞状況の変化の大小に従って、表示切り換え周期を変えてもよい。あるいは、表示を切り換えずに、１つの画面を分割して同時に表示するようにしてもよい。
【００１９】
以上説明した処理のフローチャートを図３に示す。この処理フローは、たとえば入力装置１７の操作によってユーザが経時変化表示を選択した場合に、図１の制御回路１１において実行されるものである。図３のステップＳ１では、設定された誘導経路上にある渋滞区間をいずれか１つ選択する。ここで選択する渋滞区間について、次に説明する。
【００２０】
ナビゲーション装置１へ送信されるＶＩＣＳ情報には、渋滞情報として、各リンク列に対して、渋滞の程度を表す混雑度と、その混雑度の開始地点の位置と、その混雑度の範囲とを示す情報が含まれている。ここで、リンク列とは、ある区間の道路に関する情報が記録された地図データのことである。また、混雑度の開始地点の位置は、現在地側から見たときのリンク列の先端からの距離によって表されるものであり、混雑度の範囲は、開始地点から終了地点までの距離である。このような渋滞情報に基づいて、誘導経路上の渋滞の有無とその範囲とを特定することができる。図３のステップＳ１において選択する渋滞区間は、最新のＶＩＣＳ情報の渋滞情報によって特定される渋滞が継続している区間のうちの１つである。すなわち、混雑度が渋滞を示している範囲における開始地点から終了地点までの１区間である。なお、複数のリンク列にまたがっている場合は、その連続したリンク列によって形成される区間を１つの渋滞区間として選択する。
【００２１】
ステップＳ１で渋滞区画をいずれか１つ選択したら、次のステップＳ２では、下記の式（１）によって渋滞距離の変化量を計算する。
【数１】Ｌｃ＝｜Ｌｐ−Ｌ｜／Ｌ      ・・・・・・（１）
ただし
Ｌｃ：渋滞距離の変化量
Ｌ  ：今回のＶＩＣＳ情報による渋滞距離
Ｌｐ：前回のＶＩＣＳ情報による渋滞距離
【００２２】
上記式（１）において、渋滞距離ＬおよびＬｐは、渋滞情報において混雑度が渋滞を示している１区間の距離、つまり渋滞の開始地点から終了地点までの距離によって表される。また、今回のＶＩＣＳ情報とは、ＶＩＣＳ情報蓄積部１９に蓄積されたＶＩＣＳ情報のうち最後に受信されたもののことであり、前回のＶＩＣＳ情報とは、その１回前に受信されたもののことである。すなわち、このステップＳ２で計算される渋滞距離の変化量Ｌｃは、ＶＩＣＳ情報の受信間隔によって定まる所定時間における渋滞状況の変化の度合いに相当する。
【００２３】
ステップＳ３では、ステップＳ１において推奨経路上の全ての渋滞区間を選択したか否かを判定する。全ての渋滞区間を選択した場合はステップＳ４へ進み、まだ選択していない渋滞区間がある場合はステップＳ１へ戻る。
【００２４】
ステップＳ４では、ステップＳ２で計算された各渋滞区間における渋滞距離の変化量のうち、いちばん変化量が大きいものを選択する。次のステップＳ５では、ステップＳ４で選択した渋滞距離の変化量が所定値以上であるか否かを判定する。所定値以上である場合はステップＳ６へ進み、画面表示する渋滞情報の時間間隔（以降、Ｔと表す）を１０分に設定してステップＳ８へ進む。一方、所定値未満である場合はステップＳ７へ進み、時間間隔Ｔを３０分に設定してステップＳ８へ進む。なお、このステップＳ５の判定で用いられる所定値は、時間間隔Ｔの設定値を変えるためのしきい値であり、これには渋滞状況の経時的変化が分かるために適切な値が設定される。
【００２５】
ステップＳ８では、変数ｉに３を代入する。この変数ｉは画面表示する渋滞情報を異なる時間のものに切り換えるために用いられる。なお、ステップＳ８で変数ｉに代入する値を変えることにより、画面表示する渋滞情報の数を変化させることができる。たとえば、渋滞状況の変化が大きいとき、ステップＳ８で変数ｉにｉ＝３を代入すると図２（ａ）のように３０、２０、１０分前および現在の渋滞情報を表示するが、ｉ＝４を代入すると、さらに４０分前の渋滞情報をも表示することができる。ユーザの操作によって、ステップＳ８で変数ｉに代入する値を変えるようにしてもよい。
【００２６】
ステップＳ９では、ステップＳ６またはＳ７で設定された時間間隔Ｔに変数ｉを乗じた時間だけ現在よりも前、すなわち（Ｔ・ｉ）分前の渋滞情報をＶＩＣＳ情報蓄積部１９より読み出す。たとえば、ステップＳ５が肯定判定された場合は、ステップＳ６においてＴ＝１０となり、ステップＳ８でｉ＝３とした後、ステップＳ９において３０分前の渋滞情報を読み出す。また、ステップＳ５が否定判定された場合は、ステップＳ７においてＴ＝３０となり、ステップＳ９において９０分前の渋滞情報を読み出す。ステップＳ１０では、ステップＳ９で読み出した渋滞情報に基づいて、誘導経路の渋滞状況を前述したように表示モニタ１６に表示する。
【００２７】
ステップＳ１１では、入力装置１７の操作等によって終了操作が行われているか否かを判定する。終了操作が行われている場合には、図３の処理フローを終了する。そうでない場合はステップＳ１２へ進み、表示の切り換え周期分、たとえば３秒の間待機する。次のステップＳ１３では、変数ｉが０以下であるか否かを判定する。変数ｉが０以下である場合はステップＳ８へ戻り、ステップＳ８においてｉ＝３が設定された後、ステップＳ９以下の処理を上記の説明と同様にして繰り返す。一方、変数ｉが０より大きい場合は、ステップＳ１４へ進んでｉの値より１を減じた後、ステップＳ９へ戻ってそれ以降の処理を繰り返す。たとえば、変数ｉが３から２となった場合には、ステップＳ９では２０分前（ステップＳ５が肯定判定された場合）または６０分前（ステップＳ５が否定判定された場合）の渋滞情報を読み出す。
【００２８】
以上説明した第１の実施の形態によれば、各渋滞区間における渋滞距離の変化量を計算し（ステップＳ２）、いちばん大きい渋滞距離の変化量が所定値以上であるか否かを判定して（ステップＳ４、Ｓ５）、画面表示する渋滞情報の時間間隔の設定値を変える（ステップＳ６、Ｓ７）。こうして設定された時間間隔ごとの渋滞情報を読み出して（ステップＳ９）、その渋滞状況を切り換えて表示する（ステップＳ１０）ことによって、渋滞状況の経時的変化を示す画像を画面表示する。このようにしたので、渋滞状況の経時的変化をその変化の様子に応じて的確に表示することができる。
【００２９】
なお、以上説明した第１の実施の形態では、各渋滞区間ごとに式（１）を用いて渋滞距離の変化量を計算したが、他の方法を用いて計算してもよい。たとえば、いちばん渋滞距離が長い渋滞区間や、一定の渋滞距離以下の渋滞区間を除外したものについてのみ計算することとしてもよい。さらに、式（１）以外を用いて計算してもよい。
【００３０】
また、以上説明した第１の実施の形態では、計算された変化量のうちいちばん大きいものによってステップＳ５の判定を実行したが、この内容には限定されない。たとえば、計算された変化量の平均値や中間値、あるいは誘導経路全体における渋滞距離の変化量などを用いて、ステップＳ５の判定を実行してもよい。
【００３１】
−第２の実施の形態−
本発明における他の実施形態について以下に説明する。本実施形態では、画面表示する渋滞情報の時間間隔を上記に説明した第１の実施の形態とは異なる条件によって変化させる。第１の実施の形態では渋滞状況の変化の大小によって変化させたが、本実施形態では、道路種別や目的地などの条件に応じて変化させる。なお、本実施形態における構成は図１と同一であるため、説明を省略する。
【００３２】
図４に本実施形態の処理フローチャートを示す。この処理フローは、図２に示す第１の実施の形態における処理フローと同様に、たとえば入力装置１７の操作によってユーザが経時変化表示を選択した場合に、図１の制御回路１１において実行されるものである。なお、図２の処理フローと同一の処理内容の部分については、同一のステップ番号としている。
【００３３】
ステップＳ４Ａでは、ＤＶＤ−ＲＯＭ２１より読み出された地図データに記録されている道路種別の情報に基づいて、設定された誘導経路における道路種別の割合、たとえば高速道路とそれ以外の一般道との割合を計算する。このとき、累計距離または累計走行時間のいずれの割合としてもよい。ステップＳ５Ａでは、ステップＳ４Ａで計算された道路種別の割合において、高速道路の割合が６０％以上であるか否かを判定する。高速道路の割合が６０％未満である場合はステップＳ６Ａへ進み、表示する渋滞情報の時間間隔Ｔを１０分に設定する。
【００３４】
ステップＳ５Ａにおいて高速道路の割合が６０％以上である場合は、ステップＳ５Ｂへ進み、推奨経路における目的地が観光地、たとえば温泉地やキャンプ場などに該当するか否かを判定する。地図データにおいて、目的地の施設情報には施設の種別に関する情報が含まれており、この情報に基づいてステップＳ５Ｂの判定を行うことができる。目的地が観光地でない場合は、ステップＳ７Ａに進んで時間間隔Ｔを２０分に設定する。一方、目的地が観光地に該当する場合は、ステップＳ７Ｂに進んで時間間隔Ｔを３０分に設定する。ステップＳ６Ａ、Ｓ７Ａ、Ｓ７Ｂのいずれかを実行した後は、ステップＳ８へ進む。ステップＳ８以降では、図２と同様の処理を行う。
【００３５】
以上説明した第２の実施の形態によれば、高速道路の割合が６０％以上であるか否かを判定し（ステップＳ５Ａ）、さらに目的地が観光地であるか否かを判定して（ステップＳ５Ｂ）、それらの判定結果に応じて画面表示する渋滞情報の時間間隔の設定値を変えることとした（ステップＳ６Ａ、Ｓ７Ａ、Ｓ７Ｂ）。このようにしたので、渋滞状況の経時的変化を運転目的に応じて的確に表示することができる。
【００３６】
なお、上記実施の形態では、経時変化表示処理において画面表示する渋滞情報の時間間隔を、渋滞距離や運転目的に応じて２ないし３種類の値のいずれかに設定することとした。しかし、本発明はこの内容に限定されず、他の様々な条件、たとえば曜日や月日、時刻の違いなどに応じて、画面表示する渋滞情報の時間間隔を任意の種類の値のいずれかに設定できる。
【００３７】
また、上記実施の形態において、ＶＩＣＳ情報受信部１８により受信された一定時間ごとのＶＩＣＳ情報のうち、経時変化表示処理において設定された渋滞情報を画面表示する時間間隔ごとのＶＩＣＳ情報のみを、ＶＩＣＳ情報蓄積部１９に蓄積するようにしてもよい。このようにすると、ＶＩＣＳ情報蓄積部１９の記憶容量を低減することができる。
【００３８】
さらに、上記実施の形態では、ＶＩＣＳセンターより提供されるＶＩＣＳ情報の渋滞情報を用いる例について説明したが、この内容に限定する必要はない。ＶＩＣＳ情報では現在地付近の一定地域の渋滞情報しか提供されないが、たとえば全国の渋滞情報を基地局より配信し、これを車載情報端末により受信して用いるようなシステムについても、本発明を適用できる。
【００３９】
本発明は、上記実施の形態で用いた構成要素には限定されず、本発明の特徴が損なわれない限り、どのような構成を用いることとしてもよい。
【００４０】
【発明の効果】
本発明によれば、時間間隔ごとの渋滞情報を画面表示することによって渋滞状況の経時的変化を表示するとき、渋滞状況の経時的変化の様子や運転目的などに応じて、画面表示する渋滞情報の時間間隔を可変とすることができる。
【図面の簡単な説明】
【図１】本発明の一実施例である車載用情報端末の構成を示す図である。
【図２】渋滞状況の変化の様子が異なるときの経時変化表示における画面表示例であり、（ａ）は渋滞状況の変化が大きいとき、（ｂ）は渋滞状況の変化が小さいときの例である。
【図３】本発明の一実施例における経時変化表示処理の内容を示すフローチャートである。
【図４】本発明の別の一実施例における経時変化表示処理の内容を示すフローチャートである。
【符号の説明】
１：ナビゲーション装置              １１：制御回路
１２：ＲＯＭ                          １３：ＲＡＭ
１４：現在地検出装置                  １５：画像メモリ
１６：表示モニタ                      １７：入力装置
１８：ＶＩＣＳ情報受信部              １９：ＶＩＣＳ情報蓄積部
２０：ディスクドライブ                ２１：ＤＶＤ−ＲＯＭ
【図１】
2004361211.tif 000003
【図２】
2004361211.tif 000004
【図３】
2004361211.tif 000005
【図４】
2004361211.tif 000006